(57)【特許請求の範囲】
【請求項１】
取付物に長孔状の貫通孔を形成し、この貫通孔を介して木ねじを被取付物にねじ込み、取付物を木ねじの頭部の座面で被取付物に押しつけて固定する固定構造において、前記貫通孔は被取付物に対して垂直に開設されており、前記貫通孔の上端縁には被取付物に対して平行になった平行接触面と、被取付物に対して斜めになった傾斜接触面とが形成され、前記平行接触面と傾斜接触面とは他の部分より盛り上がった正面視略台形状の上縁部を構成し、木ねじの軸を傾斜接触面側上終端点と軸を挟んで反対側の平行接触面側下終端点とに接触させて被取付物に斜めにねじ込んだ場合にのみ、木ねじの頭部の座面が傾斜接触面に接触することを特徴とする木ねじによる固定構造。
【請求項２】
取付物に貫通孔を形成し、この貫通孔を介して木ねじを被取付物にねじ込み、取付物を木ねじの頭部の座面で被取付物に押しつけて固定する固定構造において、前記貫通孔は被取付物へ向けて縮径するテーパ面を有し、前記貫通孔の上端縁には被取付物に対して平行になった平行接触面と、被取付物に対して斜めになった傾斜接触面とが形成され、前記平行接触面と傾斜接触面とは他の部分より盛り上がった正面視略台形状の上縁部を構成し、木ねじの軸を傾斜接触面側上終端点と軸を挟んで反対側の平行接触面側下終端点とに接触させるとともに、前記テーパ面にも接触させて被取付物に斜めにねじ込んだ場合にのみ、木ねじの頭部の座面が傾斜接触面に接触することを特徴とする木ねじによる固定構造。
【請求項３】
取付物に貫通孔を形成し、この貫通孔を介して木ねじを被取付物にねじ込み、取付物を木ねじの頭部の座面で被取付物に押しつけて固定する固定構造において、前記貫通孔は被取付物へ向けて縮径する階段部を有し、前記貫通孔の上端縁には被取付物に対して平行になった平行接触面と、被取付物に対して斜めになった傾斜接触面とが形成され、前記平行接触面と傾斜接触面とは他の部分より盛り上がった正面視略台形状の上縁部を構成し、木ねじの軸を傾斜接触面側上終端点と軸を挟んで反対側の平行接触面側下終端点とに接触させるとともに、前記階段部の突出側角部にも接触させて被取付物に斜めにねじ込んだ場合にのみ、木ねじの頭部の座面が傾斜接触面に接触することを特徴とする木ねじによる固定構造。
【発明の詳細な説明】
【技術分野】
【０００１】
本発明は、手すり用ブラケットや取手等を木ねじにより壁面等に固定する固定構造に関する。
【背景技術】
【０００２】
図１４に示すように、木ねじ１を用いて手すり用ブラケット等の被取付物１０を壁面等の被取付物１１に固定するには、取付物１０に貫通孔５を形成し、この貫通孔５を介して木ねじ１を被取付物１１にねじ込み、木ねじ１の頭部６で取付物１０を被取付物１１に押しつける。
ここで、木ねじ１を斜めにして取付物１０を被取付物１１に固定する場合、貫通孔５の径を大きくする必要がある。
しかしながら、貫通孔５の径を大きくすると、木ねじの頭部６が貫通孔５から抜け出して取付物１０の固定ができなくなるおそれがあるため、図１５に示すようにワッシャ１２を使用することがあるが、ワッシャ１２を使用すると作業性が悪化するという問題がある。
【０００３】
かかるワッシャ１２の使用による作業性の悪化を解消するために、ワッシャ１２を使用することなく木ねじを斜めにねじ込んで取付物１０を被取付物１１に固定するための構造として特許第３２０７８３０号の発明が創案された。
【０００４】
この特許第３２０７８３０号に係る発明は、『取付物に貫孔を形成し、この貫孔を介して木ねじを被取付物にねじ込み、取付物を木ねじの頭部で被取付物に押しつけて固定する固定構造において、前記貫孔に被取付物に向けて拡径するテーパを形成し、このテーパに沿わせて木ねじを斜めに挿入するようにした木ねじによる固定構造。』である。
【０００５】
【特許文献１】特許第３２０７８３０号公報
【発明の開示】
【発明が解決しようとする課題】
【０００６】
この特許第３２０７８３０号に係る発明には、以下のような問題点がある。
まず、木ねじが取付物を被取付物へ押しつける力は、木ねじの頭部の下面である座面を介して取付物に伝えられるので、座面の取付物に対する接触面積が大きいほど確実に前記力が取付物に伝えられる。
しかしながら、特許第３２０７８３０号に係る発明では、木ねじの頭部が没入させる座ぐりが設けられているものであっても、座面の半分程度しか接触していない。
このため、特許第３２０７８３０号に係る発明では、取付物の被取付物に対する固定の程度が弱くなりがちである。
【０００７】
本発明は、上記事情に鑑みて創案されたもので、取付物を被取付物に対してより確実かつ強固に固定することができる木ねじによる固定構造を提供することを目的としている。
【課題を解決するための手段】
【０００８】
本発明に係る第１の木ねじによる固定構造は、取付物に長孔状の貫通孔を形成し、この貫通孔を介して木ねじを被取付物にねじ込み、取付物を木ねじの頭部の座面で被取付物に押しつけて固定する固定構造であって、前記貫通孔は被取付物に対して垂直に開設されており、前記貫通孔の上端縁には被取付物に対して平行になった平行接触面と、被取付物に対して斜めになった傾斜接触面とが形成され、前記平行接触面と傾斜接触面とは他の部分より盛り上がった正面視略台形状の上縁部を構成し、木ねじの軸を傾斜接触面側上終端点と軸を挟んで反対側の平行接触面側下終端点とに接触させて被取付物に斜めにねじ込んだ場合にのみ、木ねじの頭部の座面が傾斜接触面に接触するようになっている。
【０００９】
本発明に係る第２の木ねじによる固定構造は、取付物に貫通孔を形成し、この貫通孔を介して木ねじを被取付物にねじ込み、取付物を木ねじの頭部の座面で被取付物に押しつけて固定する固定構造であって、前記貫通孔は被取付物へ向けて縮径するテーパ面を有し、前記貫通孔の上端縁には被取付物に対して平行になった平行接触面と、被取付物に対して斜めになった傾斜接触面とが形成され、前記平行接触面と傾斜接触面とは他の部分より盛り上がった正面視略台形状の上縁部を構成し、木ねじの軸を傾斜接触面側上終端点と軸を挟んで反対側の平行接触面側下終端点とに接触させるとともに、前記テーパ面にも接触させて被取付物に斜めにねじ込んだ場合にのみ、木ねじの頭部の座面が傾斜接触面に接触するようになっている。
【００１０】
本発明に係る第３の木ねじによる固定構造は、取付物に貫通孔を形成し、この貫通孔を介して木ねじを被取付物にねじ込み、取付物を木ねじの頭部の座面で被取付物に押しつけて固定する固定構造であって、前記貫通孔は被取付物へ向けて縮径する階段部を有し、前記貫通孔の上端縁には被取付物に対して平行になった平行接触面と、被取付物に対して斜めになった傾斜接触面とが形成され、前記平行接触面と傾斜接触面とは他の部分より盛り上がった正面視略台形状の上縁部を構成し、木ねじの軸を傾斜接触面側上終端点と軸を挟んで反対側の平行接触面側下終端点とに接触させるとともに、前記階段部の突出側角部にも接触させて被取付物に斜めにねじ込んだ場合にのみ、木ねじの頭部の座面が傾斜接触面に接触するようになっている。
【発明の効果】
【００１１】
本発明に係る木ねじによる固定構造は、木ねじを取付物及び被取付物に対して斜めにねじ込んでも、木ねじの座面が傾斜接触面に接触することで確実に取付物を被取付物に固定する。
また、第１の発明では傾斜接触面側上終端点及び平行接触面側下終端点、第２の発明では傾斜接触面側上終端点、平行接触面側下終端点及びテーパ面、第３の発明では傾斜接触面側上終端点、平行接触面側下終端点及び階段部の突出側角部によって木ねじのねじ込みがガイドされるので、確実かつ強固な固定が可能となる。
【図面の簡単な説明】
【００１２】
【図１】本発明の第１の実施の形態に係る木ねじによる固定構造を採用した手すり用ブラケットの概略的断面図である。
【図２】本発明の第１の実施の形態に係る木ねじによる固定構造を採用した手すり用ブラケットの概略的平面図である。
【図３】本発明の第１の実施の形態に係る木ねじによる固定構造を採用した手すり用ブラケットの概略的正面図である。
【図４】本発明の第１の実施の形態に係る木ねじによる固定構造を採用した手すり用ブラケットの概略的右側面図である。
【図５】本発明の第１の実施の形態に係る木ねじによる固定構造を採用した手すり用ブラケットが入隅部に固定された状態を示す概略的断面図である。
【図６】本発明の第１の実施の形態に係る木ねじによる固定構造を採用した手すり用ブラケットが壁面に固定された状態を示す概略的断面図である。
【図７】本発明の第１の実施の形態に係る木ねじによる固定構造を採用した手すり用ブラケットが入隅部に固定された状態の貫通孔と木ねじとの関係を示す概略的拡大断面図である。
【図８】本発明の第２の実施の形態に係る木ねじによる固定構造を採用した手すり用ブラケットが入隅部に固定された状態を示す概略的断面図である。
【図９】本発明の第２の実施の形態に係る木ねじによる固定構造を採用した手すり用ブラケットの概略的断面図である。
【図１０】本発明の第２の実施の形態に係る木ねじによる固定構造を採用した手すり用ブラケットの概略的平面図である。
【図１１】本発明の第３の実施の形態に係る木ねじによる固定構造を採用した手すり用ブラケットが入隅部に固定された状態を示す概略的断面図である。
【図１２】本発明の第３の実施の形態に係る木ねじによる固定構造を採用した手すり用ブラケットの概略的断面図である。
【図１３】本発明の第３の実施の形態に係る木ねじによる固定構造を採用した手すり用ブラケットの概略的平面図である。
【図１４】従来のこの種の木ねじによる固定構造の概略的断面図である。
【図１５】従来のこの種の木ねじによる固定構造の概略的断面図である。
【発明を実施するための形態】
【００１３】
本発明の第１の実施の形態に係る木ねじによる固定構造は、取付物に長孔状の貫通孔１２３を形成し、この貫通孔１２３を介して木ねじ５００を被取付物にねじ込み、取付物を木ねじ５００の頭部５１０の座面５２０で被取付物に押しつけて固定する固定構造であって、前記貫通孔１２３は被取付物に対して垂直に開設されており、前記貫通孔１２３の上端縁には被取付物に対して平行になった平行接触面１２６と、被取付物に対して斜めになった傾斜接触面１２７とが形成され、前記平行接触面１２６と傾斜接触面１２７とは他の部分より盛り上がった正面視略台形状の上縁部を構成し、木ねじ５００の軸５３０を傾斜接触面側上終端点１２７Ａと軸５３０を挟んで反対側の平行接触面側下終端点１２６Ａとに接触させて被取付物に斜めにねじ込んだ場合にのみ、木ねじ５００の頭部５１０の座面５２０が傾斜接触面１２７に接触するようになっている。
【００１４】
このような木ねじによる固定構造を採用した取付物としての手すり用ブラケット１００は、図１等に示すように、手すり２００が取り付けられる手すり固定部１１０と、被取付部としての壁面に固定される固定座部１２０と、手すり固定部１１０と固定座部１２０とを接続する略１／４円弧状の接続部１３０とを有している。なお、図１等に示す手すり用ブラケット１００には、接続部１３０に取り付けられて手すり固定部１１０及び固定座部１２０の内側面を隠すカバーが取り付けられるが、本発明の第１の実施の形態に係る木ねじによる固定構造の説明には不要であるため、カバーについては図示を省略している。
【００１５】
この手すり用ブラケット１００は、図５に示すように、２つの壁面Ｗ１、Ｗ２が直角に交差した内側である入隅部にも固定されるものである。この手すり用ブラケット１００が入隅部に固定される場合には、一方の壁面Ｗ１に固定座部１２０の裏面部１２１が密着し、他方の壁面Ｗ２に固定座部１２０の外側縁部１２２が接触するようになっている。また、このような入隅部では、２つの壁面Ｗ１、Ｗ２の真裏側には柱Ｐがなく、２つの壁面Ｗ１、Ｗ２が交差する交点の内側に柱Ｐが位置していることが多い。
【００１６】
なお、この手すり用ブラケット１００は、図６に示すように、上述した入隅部のみならず、真裏に柱Ｐがある壁面Ｗ３にも固定することができる。
【００１７】
このような手すり用ブラケット１００の手すり固定部１１０は、手すり２００の端部が挿入される有底円筒状に形成されており、その底部１１１には手すり２００の端部にねじ込まれる木ねじ５００のための３つの開口１１２が横一列に開設されている（図４参照）。
【００１８】
前記固定座部１２０は、平面視略長方形状に形成されており、前記手すり固定部１１０とは９０度ずれた位置に形成されている。この固定座部１２０には、本発明の第１の実施の形態に係る木ねじによる固定構造が形成されている。
この木ねじによる固定構造については後述する。
【００１９】
前記手すり固定部１１０と固定座部１２０とを接続する接続部１３０は、側面視略１／４円弧状の上側が開放された樋状に形成されている。すなわち、この開放された部分は、上述したカバーが取り付けられることで覆われるのである。
【００２０】
本発明の第１の実施の形態に係る木ねじによる固定構造は、固定座部１２０に実現されている。固定座部１２０の底面部１２２に開設された２つの平面視長孔状の貫通孔１２３がそれである。前記貫通孔１２３は、被取付物である壁面に対して垂直に開設されている。
【００２１】
なお、前記底面部１２２には、２つの貫通孔１２３の他に、略中央に位置する大開口１２４と、この大開口１２４を挟んで前記貫通孔１２３とは逆側に位置する小開口１２５とが開設されている。
【００２２】
前記貫通孔１２３は、木ねじ５００が挿入される部分である。この貫通孔１２３の上端縁１２５は、外側の平行接触面１２６と、これより内側の傾斜接触面１２７とがつながっており、かつ他の部分より盛り上がっている。このため、この貫通孔１２３の上端縁１２５は、正面視略台形状の上縁部として形成されることになる。
【００２３】
前記平行接触面１２６は、壁面Ｗ３に対して垂直にねじ込まれた木ねじ５００の座面５２０が接触する部分である（図６参照）。また、傾斜接触面１２７は、壁面Ｗ１に対して斜めにねじ込まれた木ねじ５００の座面５２０が接触する部分である（図５参照）。
【００２４】
ここで、傾斜接触面１２７の縁部のうち最も壁面に近い点を傾斜接触面側上終端点１２７Ａとし、その反対側、すなわち貫通孔１２３の固定座部１２０の裏面部１２１の縁部のうち、前記傾斜接触面側上終点１２７Ａから最も離れた点を平行接触面側下終端点１２６Ａとする。
【００２５】
例えば、図５に示すように、入隅部に手すり用ブラケット１００を固定する場合、手すり用ブラケット１００の固定座部１２０の底面部１２２の真裏には木ねじ５００がねじ込まれる柱Ｐ等がなく、柱Ｐは斜め方向に存在する。このような場合、木ねじ５００を柱Ｐに確実にねじ込むためには、木ねじ５００を壁面Ｗ１に対して斜めにねじ込まなければならない。図５、図７に示すように、木ねじ５００の軸５３０が前記傾斜接触面側上終端点１２７Ａと前記平行接触面側下終端点１２６Ａとに接触するようにしてねじ込むと、木ねじ５００は確実かつ強固に柱Ｐにねじ込まれる。しかも、木ねじ５００の座面５２０が前記傾斜接触面１２７に接触して手すり用ブラケット１００を壁面Ｗ１に固定することができる。
【００２６】
木ねじ５００は、ねじ込まれる方向を前記傾斜接触面側上終端点１２７Ａと前記平行接触面側下終端点１２６Ａとでガイドされ、その結果、柱Ｐに確実にねじ込まれ、かつ木ねじ５００の座面５２０が傾斜接触面１２７に接触するので、手すり用ブラケット１００をより確実かつ強固に固定することができる。
この場合は、２つの貫通孔１２３にそれぞれ１本ずつの木ねじ５００からねじ込むので、手すり用ブラケット１００は２本の木ねじ５００によって壁面Ｗ１に固定されることになる。
【００２７】
一方、図６に示すように、入隅部ではなく真裏側に柱Ｐが存在する部分に手すり用ブラケット１００を固定する場合には、貫通孔１２３から壁面Ｗ３に対して垂直に木ねじ５００をねじ込む。この時、木ねじ５００が壁面Ｗ３を貫通して柱Ｐにねじ込まれ、木ねじ５００の座面５２０が貫通孔１２３の平行接触面１２６に接触して手すり用ブラケット１００を壁面Ｐ３に固定することができる。
なお、この場合、前記小開口１２５からも木ねじ５００をねじ込む。すなわち、この場合は３本の木ねじ５００で手すり用ブラケット１００を壁面Ｐ３に固定することになる。
【００２８】
このように、この木ねじによる固定構造が採用された手すり用ブラケット１００であれば、木ねじ５００を斜め方向にねじ込まなければならない場合も、垂直にねじ込むことができる場合も対応することが可能となる。
【００２９】
なお、前記大開口１２４は、アンカーボルト（図示省略）を用いて手すり用ブラケット１００を取り付ける際に使用される部分である。
【００３０】
次に，本発明の第２の実施の形態に係る木ねじによる固定構造について説明する。
この第２の実施の形態に係る木ねじによる固定構造は、取付物に貫通孔３２３を形成し、この貫通孔３２３を介して木ねじ５００を被取付物にねじ込み、取付物を木ねじ５００の頭部５１０の座面５２０で被取付物に押しつけて固定する固定構造であって、前記貫通孔３２３は被取付物へ向けて縮径するテーパ面３２８を有し、前記貫通孔３２３の上端縁３２５には被取付物に対して平行になった平行接触面３２６と、被取付物に対して斜めになった傾斜接触面３２７とが形成され、前記平行接触面３２６と傾斜接触面３２７とは他の部分より盛り上がった正面視略台形状の上縁部を構成し、木ねじ５００の軸５３０を傾斜接触面側上終端点３２７Ａと軸５３０を挟んで反対側の平行接触面側下終端点３２６Ａとに接触させるとともに、前記テーパ面３２８にも接触させて被取付物に斜めにねじ込んだ場合にのみ、木ねじ５００の頭部５１０の座面５２０が傾斜接触面３２７に接触するようになっている。
【００３１】
かかる第２の実施の形態に係る木ねじによる固定構造が採用された手すり用ブラケット３００は、上述した第１の実施の形態に係る木ねじによる固定構造とは固定座部３２０に形成される木ねじによる固定構造が異なるだけであるので、その他の部分、すなわち手すり固定部３１０と、手すり固定部３１０と固定座部３２０とを接続する接続部３３０と、接続部３３０に取り付けられるカバーとの説明は省略する。
【００３２】
この第２の実施の形態に係る木ねじによる固定構造が採用された取付物としての手すり用ブラケット３００の固定座部３２０は、図８〜図９に示すように、貫通孔３２３の内部寄りの面、すなわち傾斜接触面上終端点３２７Ａから固定座部３２０の裏面部３２１側に向かってテーパ面３２８となっている。このテーパ面３２８は、貫通孔３２３の傾斜接触面３２７から固定座部３２０の裏面部３２１側にまで連なっている。また、この貫通孔３２３は、平行接触面３２６からは固定座部３２０に対して垂直になっている。
この貫通孔３２３の裏面側の開口は、使用する木ねじ５００の軸５３０が通過できる大きさになっていることはいうまでもない。
【００３３】
かかる貫通孔３２３は、木ねじ５００の軸５３０を貫通孔３２３の傾斜接触面側上終端点３２７Ａと平行接触面側下終端点３２６Ａとに接触させると、軸５３０がテーパ面３２８にも接触するようになっている。すなわち、この第２の実施の形態に係る木ねじによる固定構造が採用された手すり用ブラケット３００において、木ねじ５００を斜め方向にねじ込むと、木ねじ５００の軸５３０は貫通孔３２３の傾斜接触面側上終端点３２７Ａ及び平行接触面側下終端点３２６Ａとのみならず、テーパ面３２８にもガイドされてねじ込まれることになる。
【００３４】
そして、この状態で木ねじ５００をねじ込むと、図８に示すように、木ねじ５００の頭部５１０の座面５２０が傾斜接触面３２７に接触して手すり用ブラケット３００を壁面Ｗ１に固定することになる。
【００３５】
なお、木ねじ５００を固定座部３２０に対して垂直にねじ込む際には、テーパ面３２８ではない側の垂直な面に木ねじ５００の軸５３０を接触させてねじ込む。すると、木ねじ５００の頭部５１０の座面５２０は、平行接触面３２６に接触した状態で手すり用ブラケット３００を壁面Ｗ１に固定する。
【００３６】
次に、本発明の第３の実施の形態に係る木ねじによる固定構造について説明する。
この第３の実施の形態に係る木ねじによる固定構造は、取付物に貫通孔４２３を形成し、この貫通孔４２３を介して木ねじ５００を被取付物にねじ込み、取付物を木ねじ５００の頭部５１０の座面５２０で被取付物に押しつけて固定する固定構造であって、前記貫通孔４２３は被取付物へ向けて縮径する階段部４２９を有し、前記貫通孔４２３の上端縁４２５には被取付物に対して平行になった平行接触面４２６と、被取付物に対して斜めになった傾斜接触面４２７とが形成され、前記平行接触面４２６と傾斜接触面４２７とは他の部分より盛り上がった正面視略台形状の上縁部を構成し、木ねじ５００の軸５３０を傾斜接触面側上終端点４２７Ａと軸５３０を挟んで反対側の平行接触面側下終端点４２６Ａとに接触させるとともに、前記階段部４２９の突出側角部４２９Ａにも接触させて被取付物に斜めにねじ込んだ場合にのみ、木ねじ５００の頭部５１０の座面５２０が傾斜接触面４２７に接触するようになっている。
【００３７】
この第３の実施の形態に係る木ねじによる固定構造が採用された手すり用ブラケット４００は、上述した手すり用ブラケット３００とテーパ面３２８の部分が異なるのみであるので、その部分を中心に説明する。
【００３８】
第３の実施の形態に係る木ねじによる固定構造を採用した取付物としての手すり用ブラケット４００は、図１１〜図１３に示すように、固定座部４２０の貫通孔４２３の内部寄りの面（第２の実施の形態ではテーパ面３２８となっていた部分）が、被取付物としての壁面へ向けて縮径する階段部４２９となっている。
【００３９】
この貫通孔４２３では、木ねじ５００の軸５３０が、貫通孔４２３の傾斜接触面側上終端点４２７Ａと平行接触面側下終端点４２６Ａと階段部４２９の突出側角部４２９Ａとに接触するように斜めにねじ込むと、前記接触傾斜面４２７に木ねじ５００の座面５２０が接触するようになっている。
【００４０】
すなわち、この第３の実施の形態に係る木ねじによる固定構造を採用した手すり用ブラケット４００では、木ねじ５００を斜めにねじ込むと、木ねじ５００の軸５３０は貫通孔４２３の傾斜接触面側上終端点４２７Ａと、平行接触面側下終端点４２６Ａと、階段部４２９の突出側角部４２９Ａとの３点に接触してガイドされることになるのである。
【００４１】
なお、木ねじ５００を固定座部４２０に対して垂直にねじ込む際には、階段部４２９が形成されていない側の垂直な面に木ねじ５００の軸５３０を接触させてねじ込む。すると、木ねじ５００の頭部５１０の座面５２０は、平行接触面４２６に接触した状態で手すり用ブラケット４００を壁面Ｗ２に固定する。
【００４２】
なお、木ねじ５００を固定座部４２０に対して垂直にねじ込む際には、階段部４２９ではない側の垂直な面に木ねじ５００の軸５３０を接触させてねじ込む。すると、木ねじ５００の頭部５１０の座面５２０は、平行接触面３２６に接触した状態で手すり用ブラケット３００を壁面に固定する。
【００４３】
なお、上述した第１〜第３の実施の形態では、取付物として手すり用ブラケット１００、３００、４００を、被取付物として壁面を挙げたが、本発明に係る木ねじによる固定構造はこれに限定されることはないのはいうまでもない。
【符号の説明】
【００４４】
１００    手すり用ブラケット（取付物）
１２３    貫通孔
１２６    平行接触面
１２６Ａ  平行接触面側下終端点
１２７    傾斜接触面
１２７Ａ  傾斜接触面上終端点
５００    木ねじ
５１０    頭部
５２０    座面
５３０    軸
【図１】
0005679900.tif 000002
【図２】
0005679900.tif 000003
【図３】
0005679900.tif 000004
【図４】
0005679900.tif 000005
【図５】
0005679900.tif 000006
【図６】
0005679900.tif 000007
【図７】
0005679900.tif 000008
【図８】
0005679900.tif 000009
【図９】
0005679900.tif 000010
【図１０】
0005679900.tif 000011
【図１１】
0005679900.tif 000012
【図１２】
0005679900.tif 000013
【図１３】
0005679900.tif 000014
【図１４】
0005679900.tif 000015
【図１５】
0005679900.tif 000016